(57)【特許請求の範囲】
【請求項１】
発射部に供給された打球を駆動発射させる打球部が設けられた打球杆の回転中心から、前記打球部とは反対側に弾性体支持突部を突設し、該弾性体支持突部にキャップ状の弾性体を圧入し、前記弾性体支持突部が挿入されるホルダに、打球時及び非打球時において前記弾性体支持突部の回動範囲を規制するための弾性体よりなる回動規制ストッパと弾性体よりなる位置決めストッパとを設け、打球時に前記キャップ状の弾性体が前記回動規制ストッパに当接して回動規制され且つ非打球時に前記キャップ状の弾性体が前記位置決めストッパに当接して位置決めされるように構成して成ることを特徴とする電動式打球発射装置。
【発明の詳細な説明】
【０００１】
【発明の属する技術分野】
本発明は、パチンコ遊技機に用いられる打球発射装置に関するものである。
【０００２】
【従来の技術】
従来からパチンコ遊技機の打球発射装置は、駆動アクチュエータとしてロータリーソレノイド、直動ソレノイド、ステッピングモータ、シンクロナスモータ、同期モータ等を用いたものが主流であり、直接的又は間接的に打球杆を所定の規制範囲内で回動又は直動させて打球を発射する構造が公知である。
【０００３】
そして、打球杆４の回動範囲規制のために図２に示すように、打球時における回動規制のための弾性体（通常ゴム製）よりなる回動規制ストッパ５を設けたホルダ９と、非打球時における位置決めのための弾性体（通常ゴム製）よりなる位置決めストッパ６を設けたホルダ９をそれぞれ取付け板（図示せず）に設け、上記回動規制ストッパ５により打球時における打球杆４の回動規制を行い、また、位置決めストッパ６により非打球時における打球杆４の位置決めを行うようにしたものが一般的である。図２において１は発射部、２は打球、３は打球杆４の先端部に設けた打球部を示している。
【０００４】
また、近年、パチンコ遊技機の機種増加に伴って権利発生後の右打ち機（いわゆる一発台）の登場により打球発射装置の駆動パワー（出力パワー）の大きいものが要望されるようになってきた。
【０００５】
しかしながら、駆動パワーが大きくなるとそれを回動規制した時の振動（音）も大きくなり、パチンコ遊技機の操作ハンドルを介して遊戯者の手に伝わってくる。この結果、長時間パチンコ遊戯をすると手がしびれてきたり、あるいは玉とび強弱の微調整等のハンドル操作がしにくくなって、パチンコ遊戯者に不快感を与えるという問題がある。
【０００６】
【発明が解決しようとする課題】
本発明は上記の点に鑑みてなされたものであり、パチンコ遊戯者の手に振動が伝わりにくく長時間遊戯しても疲れず、不快感を与えない電動式打球発射装置を提供することを課題とするものである。
【０００７】
【課題を解決するための手段】
上記課題を解決するために本発明に係る電動式打球発射装置は、発射部１に供給された打球２を駆動発射させる打球部３が設けられた打球杆４の回転中心８から、前記打球部３とは反対側に弾性体支持突部１０を突設し、該弾性体支持突部１０にキャップ状の弾性体７を圧入し、前記弾性体支持突部１０が挿入されるホルダ９に、打球時及び非打球時において前記弾性体支持突部１０の回動範囲を規制するための弾性体よりなる回動規制ストッパ５と弾性体よりなる位置決めストッパ６とを設け、打球時に前記キャップ状の弾性体７が前記回動規制ストッパ５に当接して回動規制され且つ非打球時に前記キャップ状の弾性体７が前記位置決めストッパ６に当接して位置決めされるように構成して成ることを特徴とするものである。このような構成とすることで、打球時に打球杆４が回動規制ストッパ５に当って回動規制される際に、回動規制ストッパ５に打球杆４の弾性体支持突部１０に圧入した弾性体７が当接することになって、回動規制した時の衝突の振動（音）を打球杆４側においても吸収、緩和し、また、非打球時に打球杆４が位置決めストッパ６に当って位置決めされる際に、位置決めストッパ６に打球杆４の弾性体支持突部１０に圧入した弾性体７が当接することになって、位置決めした時の衝突の振動（音）を打球杆４側においても吸収、緩和するものであり、このように打球杆４に突設した弾性体支持突部１０に圧入したキャップ状の弾性体７が打球時及び非打球時にそれぞれ弾性体支持突部１０が挿入されるホルダ９に設けた回動規制ストッパ５、位置決めストッパ６に当接して打球杆４側において衝撃力を吸収、緩和するものであり、これにより打球杆２、操作ハンドルを介して衝突の振動がパチンコ遊戯者の手に伝わるのを抑制できるものである。
【０００８】
【発明の実施の形態】
以下、本発明を添付図面に示す実施形態に基づいて説明する。
【０００９】
図１には本発明の一実施形態が示してある。打球杆４は従来から公知の駆動アクチュエータにより回転中心８を中心にして所定の規制範囲内で回動するように構成してある。この打球杆４の回動規制をするために取付け板（図示せず）にホルダ９を取付けてある。
【００１０】
打球杆４の先端部には槌先と称する打球部３が設けてあり、打球時に発射部１を構成する発射レール１ａの端部に供給された打球２を打撃するようになっている。
【００１１】
打球杆４の回転中心８から反対側に弾性体支持突部１０を突設し、この弾性体支持突部１０にキャップ状の弾性体７（例えばゴム製）を圧入して設けてある。打球杆４に突設した上記弾性体支持突部１０の回動範囲を規制するための弾性体（通常ゴム製）よりなる回動規制ストッパ５と位置決めストッパ６とを上記ホルダ９に設けてある。
【００１２】
打撃時には図１の想像線に示すように打球杆４に設けた弾性体支持突部１０に圧入したキャップ状の弾性体７がホルダ９に設けた回動規制ストッパ５に衝突して回動が規制され、また、非打球時には打球杆４が逆方向に回動して上記キャップ状の弾性体７がホルダ９に設けた位置決めストッパ６に衝突して図１の実線のように位置決めされるように構成してある。
【００１３】
しかして、パチンコ遊戯者が操作ハンドル（図示せず）を握ると、操作ハンドル内のタッチセンサ（図示せず）がオンし、駆動アクチュエータが所定回転数（１００回転未満／１分間）又は所定パルス（１００パルス未満／１分間）で動作し始める。この運動をカム〜ローラピン等の中間アクチュエータ（図示せず）を介し、あるいは駆動アクチュエータから直接打球杆４に伝え、打球杆４を反復動作させることで打球２を駆動発射させる（制御回路からの打球杆４の詳細動作は省略する）。
【００１４】
この時、打球杆４の弾性体支持突部１０に圧入したキャップ状の弾性体７が打球時及び非打球時にそれぞれホルダ９に設けた回動規制ストッパ５、位置決めストッパ６に当接して打球杆４側において衝撃力を吸収、緩和する。このため、打球杆４、操作ハンドルを介して衝突の振動がパチンコ遊戯者の手に伝わるのを抑制できることになる。
【００１５】
【発明の効果】
上記のように本発明にあっては、打球杆の回転中心から、打球部とは反対側に弾性体支持突部を突設し、弾性体支持突部にキャップ状の弾性体を圧入し、弾性体支持突部が挿入されるホルダに、打球時及び非打球時において弾性体支持突部の回動範囲を規制するための弾性体よりなる回動規制ストッパと弾性体よりなる位置決めストッパとを設け、打球時に前記キャップ状の弾性体が前記回動規制ストッパに当接して回動規制され且つ非打球時に前記キャップ状の弾性体が前記位置決めストッパに当接して位置決めされるように構成してあるので、打球杆の回動規制ストッパ及び位置決めストッパとの衝突振動を、ホルダに設けた弾性体よりなる回動規制ストッパ、位置決めストッパによりホルダ側で吸収、緩和するだけでなく、打球杆側において打球杆の弾性体支持突部に圧入したキャップ状の弾性体により吸収、緩和でき、この結果、打球杆、操作ハンドルを介してパチンコ遊戯者に上記衝突振動が伝わるのを抑制できて不快感を与えることがなく、快適に遊戯できるものであり、また、振動を吸収、緩和することで駆動アクチュエータ又は中間アクチュエータに使用しているボールベアリングの耐久寿命も長くなるものである。
【図面の簡単な説明】
【図１】  本発明の一実施形態の打球杆の回動規制の構造を示す概略説明図である。
【図２】  従来例における打球杆の回動規制の構造を示す概略説明図である。
【符号の説明】
１  発射部
２  打球
３  打球部
４  打球杆
５  回動規制ストッパ
６  位置決めストッパ
７  弾性体
【図１】
0003906317.tif 000002
【図２】
0003906317.tif 000003